(57)【要約】  本発明は、容易に手を開口から挿入脱することができると共に、着用状態において手袋が好適な位置からズレにくい手袋の提供を目的とする。本発明は、着用者の手を挿入脱することが可能な開口、及び上記開口から指先側に向って延びる切り欠きが形成されている、上記手を覆う手袋本体と、掌面よりも手の甲側かつ上記切り欠きよりも親指側において一端が上記手袋本体に固着されると共に、他端が自由端である舌片と、上記手袋本体に固着され、掌面よりも手の甲側かつ上記切り欠きよりも小指側において、上記舌片の上記自由端の移動を規制可能な規制部とを備え、上記手袋本体に、掌面よりも手の甲側かつ中指よりも親指側において、上記開口から指先側に向って切り欠きが形成されており、上記規制部が、上記舌片の上記一端よりも上記自由端が指先側に位置するよう規制できるよう設けられている手袋である。
2020080226.tif 000002
【特許請求の範囲】
【請求項１】
着用者の手を挿入脱することが可能な開口、及び上記開口から指先側に向って延びる切り欠きが形成されている、上記手を覆う手袋本体と、
掌面よりも手の甲側かつ上記切り欠きよりも親指側において一端が上記手袋本体に固着されると共に、他端が自由端である舌片と、
上記手袋本体に固着され、掌面よりも手の甲側かつ上記切り欠きよりも小指側において、上記舌片の上記自由端の移動を規制可能な規制部と
を備え、
上記手袋本体に、掌面よりも手の甲側かつ中指よりも親指側において、上記開口から指先側に向って切り欠きが形成されており、
上記規制部が、上記舌片の上記一端よりも上記自由端が指先側に位置するよう規制できるよう設けられている手袋。
【請求項２】
上記手袋本体が、繊維製であり、
上記手袋本体の外面のうち少なくとも掌領域に積層される樹脂製又はゴム製の被覆層をさらに備える請求項１に記載の手袋。
【請求項３】
上記手袋本体の上記被覆層が積層されている箇所に、上記舌片の一端が縫製によって固着されている請求項２に記載の手袋。
【請求項４】
上記規制部が、一の面ファスナーであり、
上記舌片が、上記一の面ファスナーと着脱可能な他の面ファスナーからなる着脱部を有している請求項１、請求項２又は請求項３に記載の手袋。
【請求項５】
上記手袋本体がシームレスである請求項１から請求項４のいずれか１項に記載の手袋。
【発明の詳細な説明】
【技術分野】
【０００１】
本発明は、手袋に関する。
【背景技術】
【０００２】
手袋としては、例えば工場等における作業や、運搬作業や、農作業等に際して用いられる作業用手袋が公知である。この種の作業用手袋は、着用者の手を覆う繊維製の手袋本体の外面に樹脂製又はゴム製の被覆層が積層されているコーティング手袋が公知である（特開２０１５−１２９３６２号公報参照）。この種のコーティング手袋にあっては、上記手袋本体が上記手を挿入脱（挿入すること及び脱すること）可能な開口を有し、この開口から手を挿入することで、着用者の手に着用される。【０００３】
しかし、このコーティング手袋にあっては、着用者の手にフィットするものである場合、開口から手を挿入する手袋の着用動作が煩雑となり、また開口から手を離脱させる離脱動作が煩雑となるおそれがある。一方、手の挿入脱を容易に行い得るサイズのコーティング手袋を着用した場合、着用して作業を続けるにつれ、作業中において手袋の実際の着用位置が好適な着用位置からズレやすく、着用者が行うべき本来の作業に支障をきたすおそれがある。
【先行技術文献】
【特許文献】
【０００４】
【特許文献１】特開２０１５−１２９３６２号公報
【発明の概要】
【発明が解決しようとする課題】
【０００５】
本発明者らは、上記事情に鑑み、手袋本体の手の甲側に開口から指先側に向って切り欠きを形成し、この切り欠きを開閉できるような舌片を設けることに想到した。具体的には、舌片の一端を切り欠きよりも小指側において手袋本体に固着し、この舌片の他端を自由端とし、この自由端の移動を規制可能な規制部（自由端と着脱可能な着脱部）を、手袋本体の切り欠きよりも親指側に設けた手袋に想到した。この手袋にあっては、手への着用動作に際しては、規制部による自由端の移動を規制しない状態としておくことで、切り欠きの存在によって開口を拡げることができるため、容易に手に着用することができる。また、手を挿入した後に、規制部による自由端の移動を規制することで、舌片によって上記開口の拡がりを抑制できる。【０００６】
しかしながら、上述のような舌片を有する手袋を用いて実際に作業を行った場合、作業中において手袋の実際の着用位置が好適な位置からズレてしまいやすいことが判明した。【０００７】
本発明は、これらの不都合に鑑みてなされたものであり、容易に手を開口から挿入脱することができると共に、着用状態において手袋が好適な位置からズレにくい手袋の提供を目的とするものである。
【課題を解決するための手段】
【０００８】
上記課題を解決するためになされた発明は、着用者の手を挿入脱することが可能な開口、及び上記開口から指先側に向って延びる切り欠きが形成されている、上記手を覆う手袋本体と、掌面よりも手の甲側かつ上記切り欠きよりも親指側において一端が上記手袋本体に固着されると共に、他端が自由端である舌片と、上記手袋本体に固着され、掌面よりも手の甲側かつ上記切り欠きよりも小指側において、上記舌片の上記自由端の移動を規制可能な規制部とを備え、上記切欠きが、上記手袋本体の掌面よりも手の甲側かつ中指よりも親指側に形成されており、上記規制部が、上記舌片の上記一端よりも上記自由端が指先側に位置するよう規制できるよう設けられている手袋である。【０００９】
当該手袋にあっては、規制部によって舌片の自由端の移動を規制しない状態（以下、自由状態ということがある）で、切り欠きの存在によって開口を拡げることができるため、容易かつ確実に手を挿入脱することができる。また、当該手袋は、手を挿入した後に、舌片の自由端の移動を規制部によって規制した状態（以下、規制状態ということがある）とすることで、上記開口の拡がりを抑制した状態で手に着用できる。当該手袋は、上記舌片の一端が、切り欠きよりも親指側において手袋本体に固着され、また、舌片の自由端が一端よりも指先側に位置するよう規制部によって規制できるため、この規制状態において、実際の手袋の着用位置が好適な位置からズレにくい。つまり、手の甲側において、手袋本体の親指側かつ開口側の部分と小指側かつ指先側の部分とを舌片によって締め付けるようにして当該手袋を着用することで、親指、人差し指及び中指が位置ズレしにくく的確にフィットした着用状態を得ることができる。【００１０】
当該手袋にあっては、上記手袋本体が、繊維製であり、上記手袋本体の外面のうち少なくとも掌領域に積層される樹脂製又はゴム製の被覆層をさらに備えることが好ましい。これにより、当該手袋を種々の作業に用いられるコーティング手袋として好適に用いることができる。【００１１】
当該手袋は、上述のように被覆層を備える場合にあっては、上記手袋本体の上記被覆層が積層されている箇所に、上記舌片の一端が縫製によって固着されていることが好ましい。このように、手袋本体の舌片の固着部分に繊維製の手袋本体のみならず被覆層も存在するため、舌片の固着状態を強固なものとすることができる。【００１２】
当該手袋は、上記規制部が、一の面ファスナーであり、上記舌片が、上記一の面ファスナーと着脱可能な他の面ファスナーからなる着脱部を有していることが好ましい。これにより、一対の面ファスナーの着脱によって容易かつ確実に舌片の自由端の規制及びその開放を行うことができ、また、面ファスナーの着脱位置の変更、つまりは、一の面ファスナーに対して他の面ファスナーを規制（係合）する位置の調整によって、舌片による締め付け加減を変更することができる。【００１３】
当該手袋は、上記手袋本体がシームレスであることが好ましい。これにより、手袋本体を容易かつ確実に製造することができる。【００１４】
なお、「掌面よりも手の甲側」とは、当該手袋を手に着用して物を把持した状態において、把持した物と接触しない側を意味し、手の甲部分（掌の反対側の部分）のみならず手袋本体の側面部分を含む。本明細書において、「手の甲部分」とは、手に着用した状態かつ指を伸ばした状態（掌面を平坦面に接触させた状態）において、親指の中手骨と小指の中手骨とを結ぶ面よりも手の甲側（掌の反対側）を意味する。また、「掌面」とは、手に着用した状態において、平坦面に掌側を接触させた際に平坦面と接触する面を意味する。また、「手の側面部分」とは、手に着用した状態において、掌側から視認できる手袋本体の部分のうち掌面を除く部分を意味する。また、「中指よりも親指側」とは、手の甲側から視た状態において中指の中心線を基準として親指側を意味し、手袋本体の側面部分を含む。「上記舌片の上記一端よりも上記自由端が指先側に位置する」とは、自由端の規制状態において、舌片の手袋本体への固着部位の中心（上記一端の中心）よりも、規制部による舌片の被規制部位の中心が、指先側（開口側の反対側）に位置することを意味する。「舌片の手袋本体への固着部位の中心」とは、上記固着部位が線状である場合（例えば、舌片が手袋本体に縫製などによって線状に固着されている場合）、この部位の中点を意味し、上記固着部位が面状である場合（例えば、舌片が手袋本体に接着剤などによって面状に固着されている場合）、この固着部位の重心を意味する。また、「規制部による舌片の被規制部位の中心」とは、上記被規制部位が面状である場合（例えば、規制部と舌片とが一対の面ファスナーにより規制されている場合）、この被規制部位の重心を意味し、上記被規制部位が線状である場合（例えば、環状部材からなる規制部に挿入した舌片を折り返すことで舌片が線状に規制されている場合）、この被規制部位の中点を意味する。
【発明の効果】
【００１５】
以上説明したように、当該手袋は、容易に手を開口から挿入脱することができると共に、着用状態において手袋が好適な位置からズレにくいという効果を奏する。
【図面の簡単な説明】
【００１６】
【図１】図１は、本発明の一実施形態の手袋の概略的正面図である。
【図２】図２は、図１の手袋の概略的背面図である。
【図３】図３は、図１の手袋の概略的右側面図である。
【図４】図４は、図１の手袋の概略的使用状態（舌片の自由端の規制状態）を示す概略的斜視図である。
【図５】図５は、図１の手袋の概略的使用状態（舌片の自由端の自由状態）を示す概略的斜視図である。
【図６】図６は、本発明の一実施形態の手袋の製造方法を示すフローチャート図である。
【図７】図７は、本発明の他の実施形態の手袋の概略的正面図であり、舌片の自由端の自由状態の説明図である。
【図８】図８は、図７の手袋の概略的正面図であり、舌片の自由端の規制状態の説明図である。
【発明を実施するための形態】
【００１７】
以下、適宜図面を参照しつつ本発明の実施の形態を詳説する。
【００１８】
図１から図５に示す手袋１は、着用者の手を覆う手袋本体３を備えている。上記手袋本体３は、手を挿入脱可能な開口３ａを有している。開口３ａは、当該手袋１を手に着用する際に手を挿入する部位である。上記手袋本体３には、掌面よりも手の甲側かつ中指よりも親指側における図１、図３、図５等に示すように、上記開口３ａから指先側に向って切り欠き５が形成されている。
【００１９】
当該手袋１は、上記手袋本体３の外面のうち少なくとも掌領域に積層される樹脂製又はゴム製の被覆層７をさらに備えている。
【００２０】
当該手袋１は、掌面よりも手の甲側かつ上記切り欠き５よりも親指側において一端が上記手袋本体３に固着される舌片９をさらに備えている。この舌片９の他端は自由端である。当該手袋１は、掌面よりも手の甲側かつ上記切り欠きよりも小指側において、上記舌片９の上記自由端の移動を規制可能な規制部１１をさらに備えている。この規制部１１は、上記舌片９の上記一端よりも上記自由端が指先側に位置するよう規制できるよう設けられている。
【００２１】
＜手袋本体＞
手袋本体３は、繊維製であり、繊維を手袋状に編成したものである。この手袋本体３は伸縮性を有する。この手袋本体３は、着用者の手を覆うよう袋状に形成された本体部３１と、着用者の親指（第一指）、人差し指（第二指）、中指（第三指）、薬指（第四指）及び小指（第五指）をそれぞれ覆うよう上記本体部３１から延設された延設部３３ａ，３３ｂ，３３ｃ，３３ｄ，３３ｅと、上記本体部３１から上記延設部とは反対方向に延設された筒状の裾部３５とを有する。上記延設部３３ａ，３３ｂ，３３ｃ，３３ｄ，３３ｅは、指先部が閉塞された筒状に形成されている。また、上記裾部３５は、着用者が手を挿入脱可能な上記開口３ａを有している。
【００２２】
上記切り欠き５は、正面視（当該手袋１を手に着用した状態で手の甲側から視た状態（図１参照））で左右方向（裾部３５から指先に向けた方向に直交する方向）において、親指と人差し指部との間に形成されている。ここで、切り欠き５の形成箇所は、正面視で左右方向において中指の中心線よりも親指側であれば良く、手袋本体３の側面部分であっても良いが、手袋本体３の手の甲部分であることが好ましい。なお、切り欠き５の形成箇所は、中指及び人差し指との間（中指と人差し指との指間腔の延長線）よりも親指側が好ましく、人差し指の中心線よりも親指側がより好ましい。
【００２３】
この切り欠き５の長さは、特に限定されないが、切り欠き５の長さの下限は、３０ｍｍが好ましく、４５ｍｍがより好ましい。切り欠き５の長さの上限は、７０ｍｍが好ましく、６５ｍｍがより好ましい。
【００２４】
本実施形態において、切り欠き５の形状は、図３に示すように略Ｖ字状であるが、これに限定されるものではない。この切り欠き５の形状は、略Ｕ字状、略Ｖ字状、略Ｉ字状、または略Ｕ字と略Ｖ字の間の形状であるとよい。上記形状にすることによって、開口を拡げることができるため、手を挿入脱しやすくなる。なお、切り欠き５の形状は、略Ｉ字状よりも略Ｕ字状が好ましく、略Ｖ字状がさらに好ましい。切り欠き５の形状が略Ｉ字状である場合、手袋１を着用して舌片９によって締め付ける際に、切り欠き５の端縁５ａ，５ｂ同士が重なり、違和感を生じるおそれがある。切り欠き５の形状が略Ｖ字状である場合、略Ｉ字状のように切り欠き５の端縁５ａ，５ｂ同士が重なりにくく、違和感を生じにくい。切り欠き５の形状が略Ｖ字状である場合、切り欠き５の一方の端縁５ａが他方の端縁５ｂの方向に締め付けられることによって舌片９が斜め方向（舌片９が規制部１１によって規制された状態において、舌片９の固着部位から被規制部位に向かう方向）に向くので、フィット感を向上させることができる。切り欠きの形状が略Ｖ字状である場合、図３に示すように、切り欠き５の最も指先側の点（端縁５ａと端縁５ｂの交点）に比べて、切り欠き５の開口側（切り欠き５の底辺）の中心点（端縁５ａの開口側の点と端縁５ｂの開口側の点との中間点）が、手の甲側に位置していることが好ましい。これにより、作業中における親指、人差し指及び小指のフィット感を向上させることができる。
【００２５】
当該手袋１にあっては、上記開口３ａの端縁、切り欠き５の端縁５ａ，５ｂ及び舌片５の端縁にはパイピング加工が施されている。
【００２６】
上記手袋本体３を構成する繊維としては、特に限定されず、天然繊維、合成繊維、無機繊維等を用いることができる。上記天然繊維としては、綿、絹、ウール、麻等が挙げられる。上記合成繊維としては、ポリエチレン繊維、ポリエステル繊維、アラミド繊維、超強力ポリエチレン繊維、ポリウレタン繊維、ポリアミド繊維、レーヨン繊維、アクリル繊維等を挙げることができる。また、上記無機繊維としては、ステンレス繊維、タングステン繊維、ガラス繊維等を挙げることができる。
【００２７】
上記手袋本体３は、上記繊維からなる糸を用いて形成されている。これらの糸としては、紡績糸、フィラメント糸、捲縮加工等を施した加工糸等を挙げることができる。また、これらの糸に用いる繊維は、１種類としてもよいし、２種以上を混合してもよい。例えば２種の繊維を混合して用いる糸としては、綿とポリスエテル短繊維を混紡した紡績糸や、ステンレス繊維をナイロン等でカバーリングした複合糸を挙げることができる。
【００２８】
また、上記手袋本体３は、上記繊維を用いる織布、編布又は不織布を手袋１の形に切り抜き、縫製して形成してもよいが、シームレス編機でシームレス状に編成し形成したものが好ましい。上記手袋本体３にシームレス編機で編成し形成したものを用いることで、当該手袋１は製造コスト、柔軟性、及び着用感に優れる。シームレス編機で上記手袋本体３を編成する場合、上記手袋本体３の編みゲージ数としては、１０ゲージ以上２６ゲージ以下が望ましい。
【００２９】
上記手袋本体３の平均厚みの下限としては、０．１ｍｍが好ましく、０．２ｍｍがより好ましい。一方、上記手袋本体３の平均厚みの上限としては、１．３ｍｍが好ましく、１．０ｍｍがより好ましい。上記手袋本体３の平均厚みが上記下限未満であると、手袋１自体の強度に欠け、耐久性が低下するおそれがある。逆に、上記手袋本体３の平均厚みが上記上限を超えると、当該手袋１の厚みが大きくなることで柔軟性が低下して、着用時における作業性が低下するおそれがある。なお、平均厚みは、ＪＩＳ−Ｌ１０８６／Ｌ１０９６準拠の定圧厚さ測定器（例えば株式会社テクロックの「ＰＧ−１５」）を用いて、加圧荷重２．３５Ｎで、任意の５箇所を測定して得た値の平均値である。
【００３０】
なお、上記手袋本体３には、例えば柔軟剤、撥水撥油剤、抗菌剤等を用いて各種処理が行われてもよく、また、紫外線吸収剤等を塗布又は含浸等させて、紫外線防止機能が付与されていてもよい。また、上記手袋本体３に使用する繊維そのものにこのような機能を示す薬剤が練り込まれていてもよい。
【００３１】
＜被覆層＞
上記被覆層７は、手袋本体３の外面を構成する。上記被覆層７は、少なくとも一部が手袋本体３に含浸される内層７ａと、この内層７ａの外面の少なくとも一部に積層される外層７ｂとを有している。この被覆層７は伸縮性を有する。
【００３２】
内層７ａは、樹脂又はゴムを素材として形成される被膜である。内層７ａは、特に限定されるものではないが、本実施形態においては手袋本体３の全面に亘って形成されている。なお、内層７ａは、少なくとも手袋本体３の本体部３１及び延設部３３ａ，３３ｂ，３３ｃ，３３ｄ，３３ｅの掌面に形成されることが好ましく、さらに手袋本体３の本体部３１及び延設部３３ａ，３３ｂ，３３ｃ，３３ｄ，３３ｅの側面部分まで形成されることがより好ましく、さらに手袋本体３の延設部３３ａ，３３ｂ，３３ｃ，３３ｄ，３３ｅの手の甲部分まで形成されること（延設部３３ａ，３３ｂ，３３ｃ，３３ｄ，３３ｅの全面に形成されること）が特に好ましい。
【００３３】
内層７ａを形成する樹脂又はゴムとしては、例えば、塩化ビニル樹脂、天然ゴム、ニトリルブタジエンゴム、クロロプレンゴム、フッ素ゴム、シリコーンゴム、イソプレンゴム、ポリウレタン、アクリル樹脂、またはそれらの変性物（例えば、カルボキシル変性物）などの各種公知の樹脂又はゴムを用いることができ、さらには、前記各種公知の樹脂又はゴムを組み合わせて用いることもできる。この各種公知の樹脂又はゴムには、一般に使用される硫黄などの加硫剤、ジメチルジチオカルバミン酸亜鉛などの加硫促進剤、亜鉛華などの加硫促進助剤、ブロックイソシアネートなどの架橋剤、鉱物油やフタル酸エステルなどの可塑剤や柔軟化剤、２，６−ジ−ｔ−ブチル−４−メチルフェノールなどの酸化防止剤や老化防止剤、アクリルポリマーや多糖類などの増粘剤、アゾジカルボンアミドなどの発泡剤、ステアリン酸ナトリウムなどの起泡剤や整泡剤、パラフィンワックスなどのタック防止剤などの添加剤やカーボンブラックや炭酸カルシウム、微粉シリカなどの充填剤が配合されてもよい。内層７ａは、通常、０．２ｍｍ以上２．０ｍｍ以下の厚さで形成されている。内層７ａの厚さは、デジタルマイクロスコープ（キーエンス社製、型式ＶＨＸ−９００）を用いて、手袋本体１の編み（織り）方向に対して斜め方向の内層７ａの断面の、少なくとも２ｍｍの間隔を空けてランダムに選んだ任意の２０点の高さを、例えば１００倍の倍率で観察することにより測定し、該測定値を算術平均することにより求められる。なお任意の２０点は、極端に厚みの異なる箇所（例えば、意図しない樹脂又はゴムのタレにより極端に厚くなっている部分等）を除くものとする。
【００３４】
内層７ａは、層中に気泡を有する発泡層であるとよい。これにより、柔軟性及び保持できる空気の量を高めることができる。
【００３５】
外層７ｂは、樹脂又はゴムを素材として形成される被膜である。外層７ｂは、特に限定されるものではないが、本実施形態においては背抜き状態で形成される。具体的には、外層７ｂは、手袋本体３の本体部３１の掌面の全部及び側面部分と、手袋本体３の延設部３３ａ，３３ｂ，３３ｃ，３３ｄ，３３ｅの掌面の全部、側面部分の全部及び手の甲部分の指先部（延設部３３ａ，３３ｂ，３３ｃ，３３ｄ，３３ｅの第１関節（遠位関節）よりも指先側の部位）と、裾部３５の掌側の一部（開口部付近を除く部分）とに形成されている（図１、図２、図３等参照）。なお、外層７ｂは、少なくとも手袋本体３の本体部３１及び延設部３３ａ，３３ｂ，３３ｃ，３３ｄ，３３ｅの掌面に形成されることが好ましく、さらに手袋本体３の延設部３３ａ，３３ｂ，３３ｃ，３３ｄ，３３ｅの側面部分まで形成されることがより好ましく、さらに手袋本体３の延設部３３ａ，３３ｂ，３３ｃ，３３ｄ，３３ｅの指先部の手の甲側まで形成されることが特に好ましい。また、外層７ｂは、手袋本体３の本体部３１の手の甲部分に形成されていないことが好ましく、延設部３３ａ，３３ｂ，３３ｃ，３３ｄ，３３ｅの第２関節（近位関節）よりも開口側の手の甲部分に形成されていないことがより好ましい。
【００３６】
外層７ｂは、内層７ａと同様な素材を用いて形成されていてもよいし、内層７ａとは異なる素材を用いて形成されていてもよい。外層７ｂの素材に、内層７ａの素材とは異なる素材を用いる場合、接着性を高める観点から、内層７ａと外層７ｂとの間に接着層を設けてもよい。接着層は、アクリル系またはウレタン系などの各種公知の接着剤を用いて形成されている。該接着剤は、溶解パラメータ（ＳＰ値）が、内層７ａの素材のＳＰ値と外層７ｂの素材のＳＰ値との間の値のものが好ましい。外層７ｂは、通常、０．１ｍｍ以上２．０ｍｍ以下の厚さで形成されている。外層７ｂの厚さは、内層７ａの厚さと同様に測定される。
【００３７】
外層７ｂは、無孔質被膜として形成されている。これにより、強度の高いものとなる。本明細書において、無孔質被膜とは、デジタルマイクロスコープ（キーエンス社製、型式ＶＨＸ−９００）を用いて被膜の断面を１００倍の倍率で観察したときに、空隙が目視で観察されない被膜を意味する。ただし意図しない泡による空隙は無視するものとする。また、外層７ｂは、天然ゴム、ニトリルブタジエンゴム、クロロプレンゴム、イソプレンゴム、フッ素ゴム、シリコーンゴム、塩化ビニル樹脂、ポリウレタン、アクリル樹脂、またはそれらの変性物から選ばれる少なくとも一種の樹脂又はゴムを用いて形成されていてもよい。これにより、滑り止め性能が向上して、グリップ力に優れたものとなる。あるいは、滑り止め粒子を添加した樹脂又はゴムを用いて形成されてもよい。
【００３８】
＜規制部＞
上記規制部１１は、面ファスナーにより構成されている。規制部１１は、手袋本体３において被覆層７が積層されている箇所に縫製によって固着されている。なお、規制部の固着手段は、縫製に限らず、接着剤等を用いることも可能である。規制部１１は、被覆層７のうち外層７ｂが積層されていない内層７ａのみの一層部分に固着されている。
【００３９】
上記規制部１１は、正面視略方形状に形成されている。この規制部１１は、正面視で左右方向において、小指側が親指側よりも指先側に向けて傾斜した状態で設けられている。
【００４０】
＜舌片＞
上記舌片９は、手袋本体３の裾部３５に固着されている。上記舌片９は、手袋本体３において被覆層７が積層されている箇所に縫製によって固着されている。舌片９は、被覆層７のうち外層７ｂが積層されていない内層７ａのみの一層部分に固着されている。
【００４１】
舌片９は、可撓性を有し、略方形状に形成されている。舌片９は、上記切り欠き５の親指側の端縁に沿って固着されている。舌片９は、切り欠き５の端縁５ａに対して略垂直方向に突出するように手袋本体３に固着されている。
【００４２】
舌片９は、上記規制部１１に着脱可能な着脱部９ａを有している。この着脱部９ａは、規制部１１である上記面ファスナーと着脱可能な他の面ファスナーから構成されている。この他の面ファスナーは、規制状態において規制部１１と対向する面に設けられ、舌片９の略全面に設けられている。着脱部９ａは、規制部１１と略同形状に形成されている。
【００４３】
舌片９は、着脱部９ａ（他の面ファスナー）の裏面（着用状態において規制部１１に対向しない面）に積層される可撓性の裏地層９ｂをさらに有している。この裏地層９ｂは、特に限定されないが、例えば生地（例えば織物又は編物）、樹脂層、又はゴム層から構成することができ、また複数種類の層の積層体であっても良い。例えば、裏地層９ｂが、上記面ファスナーの裏面に積層されるウレタン層（ゴム層）と、ウレタン層の裏面に積層される布とからなる積層構造体であってもよい。
【００４４】
上記舌片９が解放される方向の舌片９の曲げ応力は、３．０Ｎ以下が好ましい。この曲げ応力が３．０Ｎを超えると、舌片９の着脱（規制からの解放）がしにくくなるおそれがある。また、舌片９が規制される方向の舌片９の曲げ応力は、２．０Ｎ以下が好ましい。この曲げ応力が２．０Ｎを超えると、舌片９を規制しにくくなり、着用時に舌片９が手に沿わず、フィット感が低下するおそれがある。なお、曲げ応力については、舌片９の試験片（幅３０ｍｍ、長さ７０ｍｍ）についてＪＩＳ−Ｋ−７１７１（２００８）に準拠して３点曲げ試験（試験速度：５ｍｍ／ｍｉｎ，支点間距離：２０ｍｍ，圧子の直径：４．５ｍｍ，変位：試験片接触してから１０ｍｍ）によって測定される。舌片９が解放される方向の舌片９の曲げ応力、及び、舌片９が規制される方向の舌片９の曲げ応力の下限は、特に限定されず、例えば０．１Ｎである。
【００４５】
＜舌片の固着部位と規制部による被規制部位との関係＞
当該手袋１にあっては、上述のように、舌片９が規制部１１によって規制された状態において、舌片９の上記一端（固着部位の中心）よりも上記自由端（被規制部位の中心）が指先側に位置するよう設けられている。具体的には、舌片９の固着部位は、正面視の左右方向において、上記規制部１１よりも親指側であり、正面視の上下方向において、上記規制部１１よりも裾部３５側である。舌片９の固着部位は、正面視の上下方向において、親指の中手指節間関節と橈骨茎状突起の間に位置することが好ましい。また、舌片９の固着部位と規制部１１による被規制部位とは、当該手袋１を手に着用し、規制部１１により舌片９を規制した状態において、図４のように切り欠き５を閉塞するとともに、舌片９の固着部位と被規制部位とを結ぶ方向に舌片９に引張力が働くように配されている。これにより、舌片９を規制部１１に規制した状態において、当該手袋１には舌片９の長手方向（正面視の左右方向に対して、小指側に向かうにつれて指先側に向けて傾斜した方向）に締め付けるような力が作用する。これにより、当該手袋１のフィット感を向上させることができる。舌片９の固着部位の中心と規制部１１による舌片９の被規制部位の中心とを結ぶ線の延長線が、小指の中手骨上（中手骨に対応する手袋部位）を通ることが好ましい。この方向に締め付けることによって、特に親指、人差指及び小指のフィット感を向上させることができる。
【００４６】
また、当該手袋１の１００％伸長時の張力（以下、単に１００％張力ということがある）は、特に限定されない。しかし、上述のように規制部１１によって規制される舌片９と対向する掌側の部分（対向部分という）の当該手袋１の１００％張力は、４０Ｎ／ｃｍ以下が好ましく、２０Ｎ／ｃｍ以下がより好ましく、１２Ｎ／ｃｍ以下がより好ましい。上記対向部分の１００％張力が上記上限以下であることによって、手の甲側で舌片９を引っ張った際に手袋１の掌側の部分が伸び、掌面にしわが形成されることなく、舌片を規制させることができる。また、上記対向部分の１００％張力が上記上限以下であることによって、手の甲側で舌片９を引っ張った際に手袋１の掌側の部分が伸び、その状態で舌片９を規制部１１に規制させることができ、この際の張力が少ない方が、容易かつ確実に上記対向部分の手袋１を伸ばすことができ、フィット感を向上させることができる。なお、１００％張力は、幅１０ｍｍで長さ７０ｍｍの試験片をチャック間距離４０ｍｍにおいて引張速度１００ｍｍ／ｍｉｎで長さ方向に引っ張ることで測定することができる。
【００４７】
加えて、手袋本体３をシームレスにすることによって、手袋着用時の作業において、手を握る動作や手を招く動作等による手の甲側の伸張を掌側の部分の伸びで緩和することができるため、窮屈感がなくフィット感を向上させることができる。
【００４８】
＜手袋の製造方法＞
上記実施形態の手袋の製造方法について説明するが、本発明の手袋の製造方法は、これに限定されるものではない。
【００４９】
当該手袋の製造方法は、
Ｓ１．手袋本体を用意する工程、
Ｓ２．手袋本体に被覆層を形成する工程、
Ｓ３．被覆層の形成された手袋本体に切り欠きを形成する工程、
Ｓ４．被覆層の形成された手袋本体に規制部を固着する工程、
Ｓ５．被覆層を形成された手袋本体に舌片を固着する工程、及び
Ｓ６．開口及び切り欠きの端縁にパイピング加工を施す工程
を有している（図６参照）。
【００５０】
（Ｓ１．手袋本体用意工程）
手袋本体用意工程Ｓ１では、繊維を手袋状に編成することで手袋本体を作製する。なお、作製された手袋本体を購入等の方法で別途用意することも可能である。
【００５１】
（Ｓ２．被覆層形成工程）
被覆層形成工程Ｓ２では、手袋本体用意工程で用意された手袋本体の外表面に内層を形成する工程Ｓ２１と、内層の外表面に外層を形成する工程Ｓ２２とを有している。
【００５２】
内層形成工程Ｓ２１にあっては、手型に被せた手袋本体の少なくとも一部の外表面に、内層形成用の樹脂又はゴムを含む第１塗布液を塗布する。前記手型は、セラミック製または金属製などの各種公知の手型である。第１塗布液は、樹脂又はゴムを含む液である。樹脂又はゴムとしては、前述の各種公知の樹脂又はゴムが挙げられる。これらの各種公知の樹脂又はゴムとしては、目的に応じて好適なものを使用できる。例えば、内層の強度の向上や加工の容易性を目的とする場合、天然ゴムやニトリルブタジエンゴムなどのラテックスを使用することが好ましい。この場合、第１塗布液は、固形分の比率が２０質量％以上６０質量％以下となるように調製される。固形分の比率は、水などを用いて調製される。第１塗布液は、コロイド硫黄を含んでいてもよい。第１塗布液の樹脂又はゴムとしてラテックスを使用する場合、前記コロイド硫黄は、ラテックス固形分１００質量部に対して、０．１質量部以上２．０質量部以下含まれることが好ましい。また、第１塗布液は、加硫促進剤を含んでいてもよい。前記加硫促進剤としては、ジブチルジチオカルバミン酸亜鉛、ジエチルジチオカルバミン酸亜鉛、ジベンジルジチオカルバミン酸亜鉛、テトラメチルチウラムモノスルフィドなどが挙げられる。第１塗布液の樹脂又はゴムとしてラテックスを使用する場合、前記加硫促進剤は、ラテックス固形分１００質量部に対して、０．１質量部以上２．０質量部以下含まれることが好ましい。また、第１塗布液は、酸化亜鉛を含んでいてもよい。第１塗布液としてラテックスを使用する場合、前記酸化亜鉛は、ラテックス固形分１００質量部に対して、０．１質量部以上２．０質量部以下含まれることが好ましい。また、第１塗布液は増粘剤を含んでいてもよい。増粘剤としては、セルロース系増粘剤、アクリルポリマー、シリカ系増粘剤などが挙げられる。増粘剤の含有量は、目的とする粘度に応じて適宜調整される。第１塗布液の粘度は、Ｂ型粘度計（例えば、東機産業社製ＴＶＢ−１０）を用いてＶ６の条件（回転数：６ｒｐｍ，温度：２５℃）で測定した場合に、１０００ｍＰａ・ｓ以上４０００ｍＰａ・ｓ以下であることが好ましい。
【００５３】
第１塗布液を塗布する方法としては、シャワー塗布や浸漬塗布などの各種公知の塗布法を採用できるが、塗布液を安定して均一に塗布し易くする観点から、浸漬塗布を採用することが好ましい。浸漬塗布は、予め浴槽に溜めておいた第１塗布液中に、内層を形成すべき手袋本体３の外表面を所定時間浸漬させた後、第１塗布液から手袋本体を引き上げることにより行うことができる。
【００５４】
手袋本体の繊維間の空隙の深部まで第１塗布液が浸透することを抑制する観点から、第１塗布液を塗布すべき手袋本体の外表面に各種の浸透抑制処理を施しておくことが好ましい。浸透抑制処理としては、凝固剤塗布、撥水処理、撥油処理などが挙げられる。凝固剤塗布に用いられる凝固剤としては、硝酸カルシウムや塩化亜鉛などの多価陽イオンの塩、酢酸、クエン酸などの有機酸が挙げられ、凝固剤の溶媒としては、水やメタノールなどが挙げられる。撥水処理に用いられる撥水剤としては、シリコーン系処理剤、フッ素系処理剤などが挙げられ、撥油処理に用いられる撥油剤としては、フッ素系処理剤が挙げられる。上記浸透抑制処理は、単独で行われてもよいし、組み合わせて行われてもよい。上記浸透抑制処理の効果を向上させるために、第１塗布液の粘度を、Ｂ型粘度計を用いてＶ６の条件で測定した場合に、２０００ｍＰａ・ｓ以上に高めておくことが好ましい。
【００５５】
第１塗布液が塗布された手袋本体は、オーブンなどの加熱器で乾燥されて、手袋本体の外面に、手袋本体に少なくとも一部が含浸した内層が形成される。
【００５６】
外層形成工程Ｓ２２にあっては、外表面に内層が形成された手袋本体の少なくとも一部の外表面（内層の外表面）に、外層形成用の樹脂又はゴムを含む第２塗布液を塗布する。第２塗布液に含まれる樹脂又はゴムとしては、先述の各種公知の樹脂又はゴムが挙げられる。これらの各種公知の樹脂又はゴムとしては、目的に応じて好適なものを使用できる。例えば、外層の強度の向上や加工の容易性を目的とする場合、天然ゴムやニトリルブタジエンゴムなどのラテックスを使用することが好ましい。この場合、第２塗布液は、固形分の比率が２０質量％以上６０質量％以下となるように調製される。固形分の比率は水などを用いて調製される。また、第２塗布液は、第１塗布液で例示したのと同様の各種の配合剤を、第１塗布液で例示したのと同様の割合で含んでいてもよい。第２塗布液の粘度は、Ｂ型粘度計を用いてＶ６の条件で測定した場合に、５００ｍＰａ・ｓ以上４０００ｍＰａ・ｓ以下であることが好ましい。
【００５７】
第２塗布液は、手袋本体の掌側および手の甲側において、内層の少なくとも一部の外表面を覆うように、第１塗布液の場合と同様な方法で塗布される。第２塗布液を安定して均一に塗布し易くする観点から、塗布法としては、第１塗布液の場合と同様に、浸漬塗布を採用することが好ましい。
【００５８】
第２塗布液に含まれる樹脂又はゴムが第１塗布液に含まれる樹脂又はゴムと異なる場合、第２塗布液を塗布すべき内層の外表面に、接着層を設けることが好ましい。該接着層は、アクリル系またはウレタン系などの各種公知の接着剤をシャワー塗布、スプレー塗布、浸漬塗布などで塗布することにより形成できる。前記接着剤は、塗布後に乾燥されてもよい。また、外層に、各種公知の方法で滑り止めのための模様を形成することもできる。例えば、塗布後の第２塗布液の表面に水潮解性粒子を所定時間接触させた後、該水潮解性粒子を洗浄除去して滑り止め模様を形成してもよいし、塗布後の第２塗布液の表面を所定の状態まで乾燥させた後に、乾燥後の第２塗布液の表面を有機溶剤に浸漬させて膨潤模様（膨潤作用の結果生じる模様）を形成してもよい。滑り止め模様を形成することが容易である点で、有機溶剤に浸漬させる方法が好ましい。
【００５９】
第２塗布液が塗布された手袋本体は、オーブンなどの加熱器で乾燥されて、内層の少なくとも一部の外表面に外層が形成される。なお、凝固剤などの薬剤を使用した場合は、余剰の薬剤を除去するために、外層が形成された手袋本体を水などで洗浄してもよい。
【００６０】
（Ｓ３．切り欠き形成工程）
切り欠き形成工程Ｓ３は、上記被覆層形成工程Ｓ２によって被覆層が形成された手袋本体の掌面よりも手の甲側かつ中指よりも親指側において、開口から指先側に向って切り欠きを形成する工程である。
【００６１】
（Ｓ４．規制部固着工程）
規制部固着工程Ｓ４は、上記切り欠き形成工程Ｓ３によって切り欠きが形成された手袋本体の外表面に、規制部としての面ファスナーを縫製によって固着する工程である。なお、規制部固着工程Ｓ４は、上記切り欠き形成工程Ｓ３よりも先に行うことも可能である。
【００６２】
（Ｓ５．舌片固着工程）
舌片固着工程Ｓ５は、上記規制部固着工程Ｓ４によって規制部が固着された手袋本体の切り欠きの端縁に、舌片の一端を縫製によって固着する工程である。なお、舌片固着工程Ｓ５は、上記規制部固着工程Ｓ４よりも先に行うことも可能である。また、舌片固着工程Ｓ５は、上記切り欠き形成工程Ｓ３よりも先に行うことも可能であるが、舌片を切り欠きの端縁に沿って容易かつ確実に固着するためには、切り欠き形成工程Ｓ３後に舌片固着工程Ｓ５を行うことが好ましい。
【００６３】
（Ｓ６．パイピング工程）
パイピング工程Ｓ６は、上記舌片固着工程Ｓ５によって舌片が固着された手袋本体の開口及び切り欠きの各端縁にパイピング加工を施す工程である。なお、このパイピング工程Ｓ６において舌片の端縁にパイピング加工を施すこともでき、また、舌片固着工程Ｓ５前に舌片の端縁にパイピング加工を施しておくことも可能である。また、パイピング工程Ｓ６は、上記規制部固着工程Ｓ４及び上記舌片固着工程Ｓ５よりも先に行うことも可能である。ただし、舌片を切り欠きの端縁に沿って容易かつ確実に固着するとともに容易かつ確実にパイピング加工を施すためには、舌片固着工程Ｓ５後にパイピング工程Ｓ６を行うことが好ましい。
【００６４】
＜利点＞
当該手袋１にあっては、舌片９の自由状態で、切り欠き５の存在によって開口３ａを拡げることができるため、容易かつ確実に手を挿入脱することができる。また、当該手袋１は、手を挿入した後に、舌片９の規制状態とすることで、上記開口３ａの拡がりを抑制した状態で、手に着用できる。当該手袋１は、上記舌片９の一端が、切り欠き５よりも親指側において手袋本体３に固着され、また、舌片９の自由端が一端よりも指先側に位置するよう規制部１１によって規制できるため、この規制状態において、手に対する手袋の実際の着用位置が好適な位置からズレにくい。つまり、手の甲側において、手袋本体３の親指側かつ開口側の部分と小指側かつ指先側の部分とを舌片９によって締め付けるようにして当該手袋１を着用することで、親指、人差し指及び中指の各部分が手指に対して位置ズレしにくい的確にフィットした着用状態を得ることができる。
【００６５】
［その他の実施形態］
本発明は上記実施形態に限定されるものではなく、上記態様の他、種々の変更、改良を施した態様で実施することができる。
【００６６】
上記実施形態では、手袋本体に内層及び外層を有する被覆層をコーティングしたコーティング手袋について説明したが、本発明はこれに限定されるものではなく、被覆層は必須の構成要件ではない。また、当該手袋が、手袋本体の外面のうち少なくとも掌領域に積層される樹脂製又はゴム製の被覆層をさらに備える場合にあっても、上記被覆層が、内層及び外層の二層を有するものに限定されない。ただし、被覆層が、少なくとも一部が手袋本体に含浸した状態で積層された内層と、この内層の外面の少なくとも一部に積層される外層とを有することで、例えば内層を耐水性を発揮する層とし、外層を耐摩耗性、滑り止め機能等を発揮する層とする等、種々の用途に応じた手袋を得ることができる。
【００６７】
また、上記実施形態では、舌片の規制部による規制を一対の面ファスナーで行うものであるが、本発明はこれに限定されず、種々の着脱手段を用いることができる。例えば、図７及び図８に示すように、規制部１１１として、Ｄカンのような環状部材を手袋本体１０３に固着したものを採用することができる。この図７及び図８に示す手袋１０１にあっては、舌片１０９を環状部材に挿入し、舌片１０９の先端を一端側に折り返し、折り返しによって舌片１０９の対向する部分に一対の面ファスナーを設けておき、この一対の面ファスナーを係合することで舌片１０９の規制部１１１による規制状態を得ることができる。なお、図７及び図８に示す手袋１０１において、図１から図５に示す手袋１と同様の構成及び機能を有する構成については同一符号を用いている。
【００６８】
さらに、規制部として面ファスナーを採用する場合にあっても、上記実施形態のように一対の面ファスナーが同一形状であることを要しない。例えば、舌片の面ファスナーよりも規制部としての面ファスナーの面積が広いものであっても良い。
【００６９】
また、上記実施形態では、開口の端縁、切り欠きの端縁及び舌片の端縁にパイピング加工を施したものについて説明したが、本発明はこれに限定されるものではない。なお、舌片の端縁にパイピング加工を施しておくことで、舌片の着脱がしやすくなるが、規制部として面ファスナーを採用した場合にはパイピング加工された部分が規制部によって規制できなくなるため、舌片を規制する力が必要な場合には舌片にパイピング加工を施さない方が好ましい。
【産業上の利用可能性】
【００７０】
以上のように、本発明の手袋は、工場等における作業や、運搬作業や、農作業等に際して用いられる作業用手袋として好適に用いることができる。
【符号の説明】
【００７１】
１、１０１  手袋
３、１０３  手袋本体
３ａ  開口
５  切り欠き
５ａ  掌側の端縁
５ｂ  手の甲側の端縁
７  被覆層
７ａ  内層
７ｂ  外層
９、１０９  舌片
９ａ  着脱部
９ｂ  裏地層
１１、１１１  規制部
３１  本体部
３３ａ  第一指部（延設部）
３３ｂ  第二指部（延設部）
３３ｃ  第三指部（延設部）
３３ｄ  第四指部（延設部）
３３ｅ  第五指部（延設部）
３５  裾部
【図１】
2020080226.tif 000003
【図２】
2020080226.tif 000004
【図３】
2020080226.tif 000005
【図４】
2020080226.tif 000006
【図５】
2020080226.tif 000007
【図６】
2020080226.tif 000008
【図７】
2020080226.tif 000009
【図８】
2020080226.tif 000010
【国際調査報告】
2020080226.tif 000011
2020080226.tif 000012
2020080226.tif 000013
2020080226.tif 000014